(57)【要約】  【課題】  地紋の重複を防止する画像形成システムを提供する。  【解決手段】  画像形成システム１では、地紋を描画するための描画命令が追加された場合には、画像形成装置では画像形成されない描画命令（非印字描画命令）をジョブファイルに追加する。この非印字描画命令のパラメータ領域には、地紋が付加されたことを示す付加済み情報が書き込まれている。そして、画像形成システム１では、ジョブファイルに非印字描画命令を探索して、付加済み情報が発見された場合には、地紋の追加が禁止される。【選択図】図５
2009226669.tif 000002
【特許請求の範囲】
【請求項１】
画像形成装置に画像を形成させるための描画命令を含むジョブファイルに対して、地紋を描画するための地紋描画命令を付加する地紋付加手段と、
前記地紋付加手段により地紋描画命令が付加されるジョブファイルに対して、画像形成装置によって印字されない描画命令を追加する情報追加手段と
を有する画像処理装置。
【請求項２】
前記情報追加手段は、地紋が付加されていることを示す付加済み情報がパラメータ領域に書き込まれた描画命令を前記ジョブファイルに追加する
請求項１に記載の画像処理装置。
【請求項３】
前記情報追加手段は、画像のクリップ領域外に対して描画させる描画命令を追加する
請求項１又は２に記載の画像処理装置。
【請求項４】
前記画像は、複数のレイヤを重畳してなり、
前記情報追加手段は、一のレイヤの透過領域に対して描画させる描画命令を追加する
請求項１又は２に記載の画像処理装置。
【請求項５】
複数の描画命令が含まれたジョブファイルを取得するファイル取得手段と、
前記ファイル取得手段により取得されたジョブファイルに対して、地紋を描画するための地紋描画命令を付加する地紋付加手段と、
前記ファイル取得手段により取得されたジョブファイルに含まれる描画命令の中から、地紋が付加されていることを示す付加済み情報を探索する探索手段と、
前記探索手段により付加済み情報が発見された場合に、前記地紋付加手段による地紋描画命令の付加を禁止し、前記探索手段により付加済み情報が発見されなかった場合に、前記地紋付加手段による地紋描画命令の付加を許可する制御手段と
を有する画像処理装置。
【請求項６】
前記地紋付加手段により地紋描画命令が付加された場合に、この地紋描画命令が付加されるジョブファイルに対して、画像形成装置によって印字されない描画命令を追加する情報追加手段
をさらに有する請求項５に記載の画像処理装置。
【請求項７】
複数の描画命令が含まれたジョブファイルを取得するファイル取得手段と、
前記ファイル取得手段により取得されたジョブファイル内の描画命令に従って、画像を形成する像形成手段と、
前記像形成手段により形成される画像に対して、地紋を重畳する地紋重畳手段と、
前記ファイル取得手段により取得されたジョブファイルに含まれる描画命令の中から、地紋が付加されていることを示す付加済み情報を探索する探索手段と、
前記探索手段により付加済み情報が発見された場合に、前記地紋重畳手段による地紋の重畳を禁止し、前記探索手段により付加済み情報が発見されなかった場合に、前記地紋重畳手段による地紋の重畳を許可する制御手段と
を有する画像形成装置。
【請求項８】
画像形成装置で画像を描画させるための描画命令を含むジョブファイルに対して、地紋を描画するための地紋描画命令を付加するステップと、
地紋を描画するための地紋描画命令が付加されたジョブファイルに対して、画像形成装置で印字されない描画命令を追加するステップと
をコンピュータに実行させる画像処理プログラム。
【発明の詳細な説明】
【技術分野】
【０００１】
本発明は、画像処理装置、画像形成装置及び画像処理プログラムに関する。
【背景技術】
【０００２】
例えば、特許文献１には、ＰＤＬデータ内に所定のデータ形式で格納されたジョブ出力ファイルに基づいて、地紋の設定が競合しているか否かを判断する画像形成装置が開示されている。
また、特許文献２には、複写牽制模様部分を特定するコメント文字列に基づいて、複写牽制模様の記述を検出し、この検出結果に応じて、複写牽制模様を付加するか否かを決定する画像形成システムが開示されている。
【特許文献１】特開２００７−０１５３７０号公報
【特許文献２】特開２００５−２５２７５０号公報
【発明の開示】
【発明が解決しようとする課題】
【０００３】
本発明は、地紋の重複を防止することを目的とする。
【課題を解決するための手段】
【０００４】
請求項１に係る本発明は、画像形成装置に画像を形成させるための描画命令を含むジョブファイルに対して、地紋を描画するための地紋描画命令を付加する地紋付加手段と、前記地紋付加手段により地紋描画命令が付加されるジョブファイルに対して、画像形成装置によって印字されない描画命令を追加する情報追加手段とを有する。
【０００５】
請求項２に係る本発明では、前記情報追加手段は、地紋が付加されていることを示す付加済み情報がパラメータ領域に書き込まれた描画命令を前記ジョブファイルに追加する。
【０００６】
請求項３に係る本発明では、前記情報追加手段は、画像のクリップ領域外に対して描画させる描画命令を追加する。
【０００７】
請求項４に係る本発明では、前記画像は、複数のレイヤを重畳してなり、前記情報追加手段は、一のレイヤの透過領域に対して描画させる描画命令を追加する。
【０００８】
請求項５に係る本発明は、複数の描画命令が含まれたジョブファイルを取得するファイル取得手段と、前記ファイル取得手段により取得されたジョブファイルに対して、地紋を描画するための地紋描画命令を付加する地紋付加手段と、前記ファイル取得手段により取得されたジョブファイルに含まれる描画命令の中から、地紋が付加されていることを示す付加済み情報を探索する探索手段と、前記探索手段により付加済み情報が発見された場合に、前記地紋付加手段による地紋描画命令の付加を禁止し、前記探索手段により付加済み情報が発見されなかった場合に、前記地紋付加手段による地紋描画命令の付加を許可する制御手段とを有する。
【０００９】
請求項６に係る本発明は、前記地紋付加手段により地紋描画命令が付加された場合に、この地紋描画命令が付加されるジョブファイルに対して、画像形成装置によって印字されない描画命令を追加する情報追加手段をさらに有する。
【００１０】
請求項７に係る本発明は、複数の描画命令が含まれたジョブファイルを取得するファイル取得手段と、前記ファイル取得手段により取得されたジョブファイル内の描画命令に従って、画像を形成する像形成手段と、前記像形成手段により形成される画像に対して、地紋を重畳する地紋重畳手段と、前記ファイル取得手段により取得されたジョブファイルに含まれる描画命令の中から、地紋が付加されていることを示す付加済み情報を探索する探索手段と、前記探索手段により付加済み情報が発見された場合に、前記地紋重畳手段による地紋の重畳を禁止し、前記探索手段により付加済み情報が発見されなかった場合に、前記地紋重畳手段による地紋の重畳を許可する制御手段とを有する。
【００１１】
請求項８に係る本発明は、画像形成装置で画像を描画させるための描画命令を含むジョブファイルに対して、地紋を描画するための地紋描画命令を付加するステップと、地紋を描画するための地紋描画命令が付加されたジョブファイルに対して、画像形成装置で印字されない描画命令を追加するステップとをコンピュータに実行させる。
【発明の効果】
【００１２】
本発明によれば、地紋の重複が軽減される。
【発明を実施するための最良の形態】
【００１３】
図１は、画像形成システム１を例示する図である。
図１に例示するように、本実施形態に係る画像形成システム１は、印刷要求を行うクライアント端末１０と、印刷要求を中継するプリンタサーバ２０と、プリンタ３０とを含んで構成される。なお、画像形成装置としては、プリンタ３０のほか、複合機等であってもよい。
【００１４】
クライアント端末１０は、例えば、プリンタドライバ１００（後述）がインストールされたコンピュータ装置であり、ＬＡＮなどのネットワークに接続されている。クライアント端末１０は、利用者の操作に応じて、印刷要求（ジョブファイル）を生成し、生成されたジョブファイルをプリンタサーバ２０に送信する。ここで、ジョブファイルとは、画像形成装置に対して画像形成処理を指示するためのデータファイルであり、例えば、ＰＤＬファイルのように、複数の描画命令を含む。また、ジョブファイルには、描画命令の他に、コメント領域や、画像形成装置の印刷条件（印刷枚数、印刷用紙の種類など）を示す情報などが含まれる場合もある。
なお、クライアント端末１０は、生成したジョブファイルを直接プリンタ３０に送信してもよい。
【００１５】
プリンタサーバ２０は、例えば、サーバプログラム２００（後述）がインストールされたサーバ装置であり、クライアント端末１０と同一のＬＡＮに接続されている。プリンタサーバ２０は、クライアント端末１０から受信した印刷要求（ジョブファイル）をプリンタ３０に送信する。
プリンタ３０は、クライアント端末１０又はプリンタサーバ２０から受信したジョブファイル内の描画命令に従って印刷処理を行う。
【００１６】
本画像形成システム１では、必要に応じて、印刷すべき画像に地紋が重畳される。地紋とは、印刷すべき画像の背景部分に表される文字列又は模様などの画像情報であり、例えば、複写を牽制するための複写牽制模様などである。複写牽制模様には、孤立ドットからなり、複写時に消失する消失部分と、消失部分の孤立ドットと全体的には濃度が略均一となるように濃度調整された画素塊群からなり、複写時にも消失しない潜像部分と、これら消失部分並びに潜像部分の濃度差が目立たないようにこれらに重ね合わせて合成されるカモフラージュ模様部分と、を含む。例えば、孤立ドットからなる消失部分を用いて「ＣＯＰＹ」なる文字を形成し、その背景として潜像部分を形成しておけば、印刷結果としては薄いグレーの背景として視認されるものの、一旦複写すると「ＣＯＰＹ」の文字が白く浮き上るように視認されるように画像形成がなされる。
【００１７】
こうした複写牽制模様の付加を行う機能は、クライアント端末１０、プリンタサーバ２０及びプリンタ３０のいずれにも設けることができる。例えば、クライアント端末１０及びプリンタサーバ２０は、地紋を描画するための描画命令（以下、地紋描画命令）をジョブファイルに追加することにより、印刷すべき画像に地紋を付加する。また、プリンタ３０は、同様に地紋描画命令を追加してもよいし、地紋画像を保持しておき受信したジョブファイル内の描画命令に基づき形成した印刷すべき画像に対し保持しておいた地紋画像を重畳して印刷させるようにしてもよいし、地紋が表された印刷用紙を予め用意して、この印刷用紙を用いて画像を形成することにより、地紋と画像とを重畳させてもよい。
【００１８】
図２は、プリンタドライバ１００、サーバプログラム２００、及びコントローラ３００の機能構成を例示する図である。なお、プリンタドライバ１００は、クライアント端末１０にインストールされたプログラムであり、サーバプログラム２００は、プリンタサーバ２０にインストールされている。また、コントローラ３００は、プリンタ３０に設けられており、プリンタ３０の各構成に対する制御、及び、入力された画像データに対する画像処理などを行う。
【００１９】
図２に例示するように、プリンタドライバ１００は、ジョブ生成部１０２、地紋付加部１０４、及び済み情報追加部１０６を有する。
サーバプログラム２００は、ジョブ受信部２０２、探索部２０４、制御部２０６、地紋付加部２０８、済み情報追加部２１０、及びジョブ管理部２１２を有する。
コントローラ３００は、ジョブ受信部３０２、探索部３０４、制御部３０６、地紋重畳部３０８、及び像形成部３１０を有する。
【００２０】
プリンタドライバ１００において、ジョブ生成部１０２は、利用者からの印刷要求に応じて、ジョブファイルを生成する。ジョブファイルには、印刷すべき画像の描画命令と、印刷条件を特定するための情報（例えば、印刷枚数、補正の要否、印刷サイズ、印刷用紙の種類など）とが含まれている。
地紋付加部１０４は、利用者などの要求に応じて、ジョブ生成部１０２により生成されたジョブファイルに対して、地紋描画命令を追加する。例えば、地紋付加部１０４は、印刷すべき画像に対して設定されたセキュリティレベルが既定値以上である場合に、地紋のビットマップ描画命令を地紋描画命令として追加する。
【００２１】
済み情報追加部１０６は、地紋付加部１０４により地紋描画命令が追加された場合に、画像形成装置によって印字されない描画命令（非印字描画命令）を追加する。ここで、非印字描画命令（画像形成装置によって印字されない描画命令）とは、例えば、図３に例示するように、クリップ領域の外側に対する描画命令である。すなわち、図３に例示するように、プリンタ３０によって実際に印字される領域は、画像領域８００全体のうち、クリップ領域８０２として設定された領域であり、「付加済み」の文字列（付加済み情報）を描画させる描画命令は、描画命令としては正常に存在しうるが、「付加済み」の文字列がプリンタ３０によって印字されることはない。
また、本例の済み情報追加部１０６は、地紋描画命令が追加されたジョブファイルのみに対して、非印字描画命令を追加する。より好ましくは、済み情報追加部１０６は、パラメータ領域に、地紋が付加されていることを示す付加済み情報８０４（図３）が書き込まれた非印字描画命令を追加する。付加済み情報とは、例えば、「付加済み」の文字列に相当する文字コード、又は、「付加済み」の文字列のビットマップデータである。
【００２２】
サーバプログラム２００において、ジョブ受信部２０２は、クライアント端末１０（プリンタドライバ１００）から、ジョブファイルを受信する。
【００２３】
探索部２０４は、ジョブ受信部２０２により受信したジョブファイルに含まれる描画命令の中から、地紋が付加されていることを示す付加済み情報を探索する。本例の探索部２０４は、描画命令のパラメータ領域に書き込まれた付加済み情報を探索するが、これに限定されるものではなく、例えば、非印字描画命令そのものを、地紋が付加されていることを示す情報として探索してもよい。
【００２４】
制御部２０６は、探索部２０４により付加済み情報が発見された場合に、地紋付加部２０８による地紋の付加を禁止し、探索部２０４により付加済み情報が発見されなかった場合に、地紋付加部２０８による地紋の付加を許可する。
【００２５】
地紋付加部２０８は、制御部２０６による許可が与えられた場合にのみ、ジョブファイルに含まれる画像のセキュリティレベルなどに応じて、ジョブ受信部２０２により受信されたジョブファイルに対して、地紋描画命令を追加する。
済み情報追加部２１０は、地紋付加部２０８により地紋描画命令がジョブファイルへ追加された場合に、このジョブファイルに対して、パラメータ領域に付加済み情報が書き込まれた非印字描画命令を、追加する。
ジョブ管理部２１２は、ジョブ受信部２０２により受信されたジョブファイルを保持して、地紋付加部２０８及び済み情報追加部２１０によるジョブファイルの編集を可能にし、保持されたジョブファイルを順次プリンタ３０に送信する。
【００２６】
プリンタ３０のコントローラ３００において、ジョブ受信部３０２は、プリンタサーバ２０（サーバプログラム２００）から、ジョブファイルを受信する。
【００２７】
探索部３０４は、ジョブ受信部３０２により受信したジョブファイルに含まれる描画命令のパラメータ領域から、付加済み情報を探索する。
制御部３０６は、探索部３０４により付加済み情報が発見された場合に、地紋重畳部３０８による地紋の重畳を禁止し、探索部３０４により付加済み情報が発見されなかった場合に、地紋重畳部３０８による地紋の重畳を許可する。
【００２８】
地紋重畳部３０８は、制御部３０６により地紋の重畳が許可された場合に、ジョブファイルに含まれる画像のセキュリティレベルなどに応じて、ジョブ受信部３０２により受信されたジョブファイルに対して、地紋描画命令を追加し、制御部３０６により地紋の重畳が禁止されている場合に、ジョブ受信部３０２により受信されたジョブファイルをそのまま像形成部３１０に出力する。なお、地紋重畳部３０８は、地紋が表された印刷用紙を選択することにより、地紋を重畳してもよい。
【００２９】
像形成部３１０は、地紋重畳部３０８から入力されたジョブファイルの描画命令に基づいて、印刷用データを生成し、生成された印刷用データに従って、プリンタ３０のプリントエンジンを制御して、印刷用紙に画像を印刷する。
【００３０】
次に、画像形成システム１の動作例を説明する。本例では、ジョブファイルがクライアント端末１０で生成され、生成されたジョブファイルがプリンタサーバ３０を経由してプリンタ３０に投入される形態を具体例として説明する。
まず、クライアント端末１０の動作を説明する。
図４は、クライアント端末１０の動作（Ｓ１０)を例示するフローチャートである。
図４に示すように、ステップ１００（Ｓ１００）において、クライアント端末１０は、利用者の印刷指示操作に応じて、プリンタドライバ１００を起動させる。
プリンタドライバ１００のジョブ生成部１０２は、利用者により指定された画像のジョブファイルを生成する。
【００３１】
ステップ１１０（Ｓ１１０）において、地紋付加部１０４は、地紋が必要であるか否かを判断する。例えば、地紋付加部１０４は、利用者の指示の有無、又は、画像データのセキュリティレベルなどに基づいて、地紋が必要であるか否かを判断する。
プリンタドライバ１００は、地紋が必要である場合に、Ｓ１２０の処理に移行し、地紋が不要である場合に、Ｓ１４０の処理に移行する。
【００３２】
ステップ１２０（Ｓ１２０）において、地紋付加部１０４は、ジョブ生成部１０２により生成されたジョブファイルに対して、地紋を描画するための地紋描画命令を追加する。
また、地紋付加部１０４は、地紋描画命令が追加された旨を済み情報追加部１０６に通知する。
【００３３】
ステップ１３０（Ｓ１３０）において、済み情報追加部１０６は、地紋付加部１０４からの通知に応じて、付加済み情報が書き込まれた非印字描画命令を、ジョブ生成部１０２により生成されたジョブファイルに追加する。
【００３４】
ステップ１４０（Ｓ１４０）において、ジョブ生成部１０２は、生成されたジョブファイル（地紋描画命令及び非印字描画命令が含まれる場合もある）をプリンタサーバ２０に送信する。
【００３５】
次に、プリンタサーバ２０の動作を説明する。
図５は、プリンタサーバ２０の動作（Ｓ２０）を例示するフローチャートである。
図５に示すように、ステップ２００（Ｓ２００）において、ジョブ受信部２０２は、クライアント端末１０から、ジョブファイルを受信する。
【００３６】
ステップ２１０（Ｓ２１０）において、地紋付加部２０８は、地紋が必要であるか否かを判断する。
サーバプログラム２００は、地紋が必要である場合に、Ｓ２２０の処理に移行し、地紋が不要である場合に、Ｓ２６０の処理に移行する。
【００３７】
ステップ２２０（Ｓ２２０）において、探索部２０４は、ジョブ受信部２０２により受信されたジョブファイルの描画命令の中から、付加済み情報を探索し、探索結果を制御部２０６に通知する。
【００３８】
ステップ２３０（Ｓ２３０）において、制御部２０６は、探索部２０４から通知された探索結果に基づいて、付加済み情報が発見されたか否かを判断し、付加済み情報が発見された場合に、地紋描画命令の追加を禁止し、付加済み情報が発見されなかった場合に、地紋描画命令の追加を許可する。
サーバプログラム２００は、付加済み情報が発見された場合（すなわち、地紋描画命令の追加が禁止された場合）に、Ｓ２６０の処理に移行し、付加済み情報が発見されなかった場合（すなわち、地紋描画命令の追加が許可された場合）に、Ｓ２４０の処理に移行する。
【００３９】
ステップ２４０（Ｓ２４０）において、地紋付加部２０８は、ジョブ管理部２１２により保持されているジョブファイルに対して、地紋を描画するための地紋描画命令を追加し、
さらに、地紋描画命令が追加された旨を済み情報追加部２１０に通知する。
ステップ２５０（Ｓ２５０）において、済み情報追加部２１０は、地紋付加部２１０からの通知に応じて、付加済み情報が書き込まれた非印字描画命令を、ジョブ管理部２１２により保持されているジョブファイルに追加する。
【００４０】
ステップ２６０（Ｓ２６０）において、ジョブ管理部２１２は、保持しているジョブファイル（地紋描画命令及び非印字描画命令が含まれる場合もある）をプリンタ３０に送信する。
【００４１】
次に、プリンタ３０の動作を説明する。
図６は、プリンタ３０の動作（Ｓ３０）を例示するフローチャートである。
図６に示すように、ステップ３００（Ｓ３００）において、コントローラ３００のジョブ受信部３０２は、プリンタサーバ２０から、ジョブファイルを受信する。
【００４２】
ステップ３１０（Ｓ３１０）において、地紋重畳部３０８は、地紋が必要であるか否かを判断する。
コントローラ３００は、地紋が必要である場合に、Ｓ３２０の処理に移行し、地紋が不要である場合に、Ｓ３５０の処理に移行する。
【００４３】
ステップ３２０（Ｓ３２０）において、探索部３０４は、ジョブ受信部３０２により受信されたジョブファイルの描画命令の中から、付加済み情報を探索し、探索結果を制御部３０６に通知する。
【００４４】
ステップ３３０（Ｓ３３０）において、制御部３０６は、探索部３０４から通知された探索結果に基づいて、付加済み情報が発見されたか否かを判断し、付加済み情報が発見された場合に、地紋の重畳を禁止し、付加済み情報が発見されなかった場合に、地紋の重畳を許可する。
コントローラ３００は、付加済み情報が発見された場合（すなわち、地紋の重畳が禁止された場合）に、Ｓ３５０の処理に移行し、付加済み情報が発見されなかった場合（すなわち、地紋の重畳が許可された場合）に、Ｓ３４０の処理に移行する。
【００４５】
ステップ３４０（Ｓ３４０）において、地紋重畳部３０８は、ジョブ受信部３０２により受信されたジョブファイルに対して、地紋描画命令を追加し、地紋描画命令が追加されたジョブファイルを像形成部３１０に出力する。
なお、地紋重畳部３０８は、地紋の重畳が禁止された場合、又は、地紋が不要である場合に、ジョブ受信部３０２により受信されたジョブファイルをそのまま像形成部３１０に出力する。
【００４６】
ステップ３５０（Ｓ３５０）において、像形成部３１０は、地紋重畳部３０８から入力されたジョブファイルの描画命令に従って、印刷用データを生成し、生成された印刷用データに従って画像を印刷する。
【００４７】
以上説明したように、本実施形態の画像形成システム１によると、地紋描画専用の機能や、ＰＤＬのコメント機能などが無い場合でも、地紋の重複が抑制される。
【００４８】
なお、上記実施形態では、図３に例示するように、クリップ領域外に対する描画命令を非印字描画命令として利用する形態を具体例として説明したが、これに限定されるものではない。
例えば、図７（Ａ）に例示するＭＲＣ形式（Ｍｉｘｅｄ Ｒａｓｔｅｒ Ｃｏｎｔｅｎｔ形式）のデータファイルの場合、複数のレイヤからなる画像領域９００には、実際には印字されない透過領域が存在する。すなわち、図７（Ａ）に例示するように、画像データが、画像要素が割り当てられる前景レイヤ９１０及び背景レイヤ９３０と、出力すべきレイヤを選択する選択レイヤ９２０とで構成されている場合に、選択レイヤ９２０により選択されたレイヤの画像領域は、透過領域となる。
具体的には、図７（Ｂ）の選択レイヤ９２０において、ハッチング領域が前景レイヤ９１０を選択し、他の領域が背景レイヤ９３０を選択する。この場合に、前景レイヤ９１０のうち、選択レイヤ９２０のハッチング領域に相当する領域以外は、透過領域となる。したがって、地紋付加部１０４などは、このような透過領域に対する描画命令を非印字描画命令として利用することができる。
このようなＭＲＣ形式の画像データは、実際に出力（印刷等）されると、図７（Ｃ）のような出力画像となる。すなわち、前景レイヤ９１０に割り当てられた画像「ＡＢＣ」と、背景レイヤ９３０の人物画像とが合成され、選択レイヤ９２０により選択されていない透過領域に対する描画命令（例えば、"付加済み"の描画命令）は、実際には、印字されない。
【図面の簡単な説明】
【００４９】
【図１】画像形成システム１を例示する図である。
【図２】プリンタドライバ１００、サーバプログラム２００、及びコントローラ３００の機能構成を例示する図である。
【図３】クリップ領域外に対する描画命令を模式的に説明する図である。
【図４】クライアント端末１０の動作（Ｓ１０)を例示するフローチャートである。
【図５】プリンタサーバ２０の動作（Ｓ２０）を例示するフローチャートである。
【図６】プリンタ３０の動作（Ｓ３０）を例示するフローチャートである。
【図７】透過領域に対する描画命令を模式的に説明する図である。
【符号の説明】
【００５０】
１・・・画像形成システム
１０・・・クライアント端末
１００・・・プリンタドライバ
１０２・・・ジョブ生成部
１０４・・・地紋付加部
１０６・・・済み情報追加部
２０・・・プリンタサーバ
２００・・・サーバプログラム
２０２・・・ジョブ受信部
２０４・・・探索部
２０６・・・制御部
２０８・・・地紋付加部
２１０・・・済み情報追加部
２１２・・・ジョブ管理部
３０・・・プリンタ
３００・・・コントローラ
３０２・・・ジョブ受信部
３０４・・・探索部
３０６・・・制御部
３０８・・・地紋重畳部
３１０・・・像形成部
【図１】
2009226669.tif 000003
【図２】
2009226669.tif 000004
【図３】
2009226669.tif 000005
【図４】
2009226669.tif 000006
【図５】
2009226669.tif 000007
【図６】
2009226669.tif 000008
【図７】
2009226669.tif 000009